【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
複数の作業場に対する部材の配置を計画する情報処理装置であって、
製品を製造するための各工程における前記作業場に対する部材の配置計画に関する配置計画情報を記憶する配置計画記憶手段と、
前記部材を配置可能な作業場に関する作業場情報を記憶する作業場記憶手段と、
前記配置計画記憶手段に記憶された前記配置計画情報における各工程の部材を配置する作業場が、前記作業場記憶手段に記憶された作業場情報に従って配置不可となされた場合、当該作業場情報に従って新たな配置計画情報を作成する配置計画情報作成手段と、
前記配置計画情報作成手段により作成された複数の配置計画情報に対して、元の作業場と異なる作業場へ当該部材を移動する回数に従って当該複数の配置計画情報の評価を行う評価手段と、
を備えたことを特徴とする情報処理装置。
【請求項２】
前記異なる作業場は、複数の異なる作業場であり、
前記評価手段は、前記部材を移動するそれぞれの前記異なる作業場へ移動する回数を含めて前記配置計画情報の評価を行うことを特徴とする請求項１に記載の情報処理装置。
【請求項３】
前記評価手段は、前記複数の異なる作業場からランダムに選択したそれぞれの前記異なる作業場への前記部材の移動する回数を含めて前記配置計画情報の評価を行うことを特徴とする請求項２に記載の情報処理装置。
【請求項４】
作業が完了した前記作業場において後続作業を行わない際に、前記評価手段によって評価を行うことを特徴とする請求項１乃至３の何れか１項に記載の情報処理装置。
【請求項５】
作業場に配置された部材を前記作業場内で前記配置とは異なる配置となるように移動する配置移動手段を備え、
前記評価手段は、作業場に配置された部材を前記作業場内で前記配置とは異なる配置となるように移動する回数を含めて前記配置計画情報の評価を行うことを特徴とする請求項１乃至４の何れか１項に記載の情報処理装置。
【請求項６】
前記評価手段は、移動先となる作業場が前記記憶手段の作業場情報に従って配置不可となり、現在の作業場へ前記部材が長期で滞留した場合、任意の作業がなされていない作業場へ移動する回数を含めて前記配置計画情報の評価を行うことを特徴とする請求項１乃至５の何れか１項に記載の情報処理装置。
【請求項７】
複数の作業場に対する部材の配置を計画する情報処理装置の制御方法であって、
前記情報処理装置は、
製品を製造するための各工程における前記作業場に対する部材の配置計画に関する配置計画情報を記憶する配置計画記憶手段に記憶された前記配置計画情報における各工程の部材を配置する作業場が、前記部材を配置可能な作業場に関する作業場情報を記憶する作業場記憶手段に記憶された作業場情報に従って配置不可となされた場合、当該作業場情報に従って新たな配置計画情報を作成する配置計画情報作成ステップと、
前記配置計画情報作成ステップにより作成された複数の配置計画情報に対して、元の作業場と異なる作業場へ当該部材を移動する回数に従って当該複数の配置計画情報の評価を行う評価ステップと、
を実行することを特徴とする情報処理装置の制御方法。
【請求項８】
複数の作業場に対する部材の配置を計画する情報処理装置で読取実行可能なプログラムであって、
前記情報処理装置を、
製品を製造するための各工程における前記作業場に対する部材の配置計画に関する配置計画情報を記憶する配置計画記憶手段に記憶された前記配置計画情報における各工程の部材を配置する作業場が、前記部材を配置可能な作業場に関する作業場情報を記憶する作業場記憶手段に記憶された作業場情報に従って配置不可となされた場合、当該作業場情報に従って新たな配置計画情報を作成する配置計画情報作成手段と、
前記配置計画情報作成手段により作成された複数の配置計画情報に対して、元の作業場と異なる作業場へ当該部材を移動する回数に従って当該複数の配置計画情報の評価を行う評価手段、
として機能させることを特徴とするプログラム。
【請求項９】
クライアント端末とネットワークを介して接続されたサーバとからなる複数の作業場に対する部材の配置を計画する情報処理システムであって、
製品を製造するための各工程における前記作業場に対する部材の配置計画に関する配置計画情報を記憶する配置計画記憶手段と、
前記部材を配置可能な作業場に関する作業場情報を記憶する作業場記憶手段と、
前記配置計画記憶手段に記憶された前記配置計画情報における各工程の部材を配置する作業場が、前記作業場記憶手段に記憶された作業場情報に従って配置不可となされた場合、当該作業場情報に従って新たな配置計画情報を作成する配置計画情報作成手段と、
前記配置計画情報作成手段により作成された複数の配置計画情報に対して、元の作業場と異なる作業場へ当該部材を移動する回数に従って当該複数の配置計画情報の評価を行う評価手段と、
を備えたことを特徴とする情報処理システム。
【請求項１０】
クライアント端末とネットワークを介して接続されたサーバとからなる複数の作業場に対する部材の配置を計画する情報処理システムの制御方法であって、
前記情報処理システムは、
製品を製造するための各工程における前記作業場に対する部材の配置計画に関する配置計画情報を記憶する配置計画記憶手段に記憶された前記配置計画情報における各工程の部材を配置する作業場が、前記部材を配置可能な作業場に関する作業場情報を記憶する作業場記憶手段に記憶された作業場情報に従って配置不可となされた場合、当該作業場情報に従って新たな配置計画情報を作成する配置計画情報作成ステップと、
前記配置計画情報作成ステップにより作成された複数の配置計画情報に対して、元の作業場と異なる作業場へ当該部材を移動する回数に従って当該複数の配置計画情報の評価を行う評価ステップと、
を実行することを特徴とする情報処理システムの制御方法。
【請求項１１】
クライアント端末とネットワークを介して接続されたサーバとからなる複数の作業場に対する部材の配置を計画する情報処理システムにおいて読取実行されるプログラムであって、
前記情報処理システムを、
製品を製造するための各工程における前記作業場に対する部材の配置計画に関する配置計画情報を記憶する配置計画記憶手段に記憶された前記配置計画情報における各工程の部材を配置する作業場が、前記部材を配置可能な作業場に関する作業場情報を記憶する作業場記憶手段に記憶された作業場情報に従って配置不可となされた場合、当該作業場情報に従って新たな配置計画情報を作成する配置計画情報作成手段と、
前記配置計画情報作成手段により作成された複数の配置計画情報に対して、元の作業場と異なる作業場へ当該部材を移動する回数に従って当該複数の配置計画情報の評価を行う評価手段、
として機能させることを特徴とするプログラム。
【手続補正２】
【補正対象書類名】明細書
【補正対象項目名】００１１
【補正方法】変更
【補正の内容】
【００１１】
上記目的を達成するための第一の発明は、複数の作業場に対する部材の配置を計画する情報処理装置であって、製品を製造するための各工程における前記作業場に対する部材の配置計画に関する配置計画情報を記憶する配置計画記憶手段と、前記部材を配置可能な作業場に関する作業場情報を記憶する作業場記憶手段と、前記配置計画記憶手段に記憶された前記配置計画情報における各工程の部材を配置する作業場が、前記作業場記憶手段に記憶された作業場情報に従って配置不可となされた場合、当該作業場情報に従って新たな配置計画情報を作成する配置計画情報作成手段と、前記配置計画情報作成手段により作成された複数の配置計画情報に対して、元の作業場と異なる作業場へ当該部材を移動する回数に従って当該複数の配置計画情報の評価を行う評価手段と、を備えたことを特徴とする情報処理装置である。
【手続補正３】
【補正対象書類名】明細書
【補正対象項目名】００１２
【補正方法】変更
【補正の内容】
【００１２】
上記目的を達成するための第二の発明は、複数の作業場に対する部材の配置を計画する情報処理装置の制御方法であって、前記情報処理装置は、製品を製造するための各工程における前記作業場に対する部材の配置計画に関する配置計画情報を記憶する配置計画記憶手段に記憶された前記配置計画情報における各工程の部材を配置する作業場が、前記部材を配置可能な作業場に関する作業場情報を記憶する作業場記憶手段に記憶された作業場情報に従って配置不可となされた場合、当該作業場情報に従って新たな配置計画情報を作成する配置計画情報作成ステップと、前記配置計画情報作成ステップにより作成された複数の配置計画情報に対して、元の作業場と異なる作業場へ当該部材を移動する回数に従って当該複数の配置計画情報の評価を行う評価ステップと、を実行することを特徴とする情報処理装置の制御方法である。
【手続補正４】
【補正対象書類名】明細書
【補正対象項目名】００１３
【補正方法】変更
【補正の内容】
【００１３】
上記目的を達成するための第三の発明は、複数の作業場に対する部材の配置を計画する情報処理装置で読取実行可能なプログラムであって、前記情報処理装置を、製品を製造するための各工程における前記作業場に対する部材の配置計画に関する配置計画情報を記憶する配置計画記憶手段に記憶された前記配置計画情報における各工程の部材を配置する作業場が、前記部材を配置可能な作業場に関する作業場情報を記憶する作業場記憶手段に記憶された作業場情報に従って配置不可となされた場合、当該作業場情報に従って新たな配置計画情報を作成する配置計画情報作成手段と、前記配置計画情報作成手段により作成された複数の配置計画情報に対して、元の作業場と異なる作業場へ当該部材を移動する回数に従って当該複数の配置計画情報の評価を行う評価手段と、して機能させることを特徴とするプログラムである。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
上記目的を達成するための第四の発明は、クライアント端末とネットワークを介して接続されたサーバとからなる複数の作業場に対する部材の配置を計画する情報処理システムであって、製品を製造するための各工程における前記作業場に対する部材の配置計画に関する配置計画情報を記憶する配置計画記憶手段と、前記部材を配置可能な作業場に関する作業場情報を記憶する作業場記憶手段と、前記配置計画記憶手段に記憶された前記配置計画情報における各工程の部材を配置する作業場が、前記作業場記憶手段に記憶された作業場情報に従って配置不可となされた場合、当該作業場情報に従って新たな配置計画情報を作成する配置計画情報作成手段と、前記配置計画情報作成手段により作成された複数の配置計画情報に対して、元の作業場と異なる作業場へ当該部材を移動する回数に従って当該複数の配置計画情報の評価を行う評価手段と、を備えたことを特徴とする情報処理システムである。
【手続補正７】
【補正対象書類名】明細書
【補正対象項目名】００１６
【補正方法】変更
【補正の内容】
【００１６】
上記目的を達成するための第五の発明は、クライアント端末とネットワークを介して接続されたサーバとからなる複数の作業場に対する部材の配置を計画する情報処理システムの制御方法であって、前記情報処理システムは、製品を製造するための各工程における前記作業場に対する部材の配置計画に関する配置計画情報を記憶する配置計画記憶手段に記憶された前記配置計画情報における各工程の部材を配置する作業場が、前記部材を配置可能な作業場に関する作業場情報を記憶する作業場記憶手段に記憶された作業場情報に従って配置不可となされた場合、当該作業場情報に従って新たな配置計画情報を作成する配置計画情報作成ステップと、前記配置計画情報作成ステップにより作成された複数の配置計画情報に対して、元の作業場と異なる作業場へ当該部材を移動する回数に従って当該複数の配置計画情報の評価を行う評価ステップと、を実行することを特徴とする情報処理システムの制御方法である。
【手続補正８】
【補正対象書類名】明細書
【補正対象項目名】００１７
【補正方法】変更
【補正の内容】
【００１７】
上記目的を達成するための第六の発明は、クライアント端末とネットワークを介して接続されたサーバとからなる複数の作業場に対する部材の配置を計画する情報処理システムにおいて読取実行されるプログラムであって、前記情報処理システムを、製品を製造するための各工程における前記作業場に対する部材の配置計画に関する配置計画情報を記憶する配置計画記憶手段に記憶された前記配置計画情報における各工程の部材を配置する作業場が、前記部材を配置可能な作業場に関する作業場情報を記憶する作業場記憶手段に記憶された作業場情報に従って配置不可となされた場合、当該作業場情報に従って新たな配置計画情報を作成する配置計画情報作成手段と、前記配置計画情報作成手段により作成された複数の配置計画情報に対して、元の作業場と異なる作業場へ当該部材を移動する回数に従って当該複数の配置計画情報の評価を行う評価手段、として機能させることを特徴とするプログラムである。